(57)【要約】【課題】優待の情報を所有するユーザから他のユーザに優待の情報を再配信する場合に、その再配信された優待の情報が利用される可能性を高くする。【解決手段】優待情報管理システムは、ユーザに配信された優待の情報を格納する記憶手段から当該優待の情報を取得する優待情報取得手段と、前記ユーザに関連づけられた複数の関連ユーザの好みを示す情報に基づいて、前記複数の関連ユーザが前記優待に反応する度合いを評価する関連ユーザ評価手段と、前記複数の関連ユーザが前記優待に反応する度合いに基づいて、前記評価された関連ユーザの一部に対して前記優待の情報を再配信する優待情報再配信手段と、を含む。【選択図】図３
2015099478.tif 000002
【特許請求の範囲】
【請求項１】
ユーザに配信された優待の情報を格納する記憶手段から当該優待の情報を取得する優待情報取得手段と、
前記ユーザに関連づけられた複数の関連ユーザの好みを示す情報に基づいて、前記複数の関連ユーザが前記優待に反応する度合いを評価する関連ユーザ評価手段と、
前記複数の関連ユーザが前記優待に反応する度合いに基づいて、前記評価された関連ユーザの一部に対して前記優待の情報を再配信する優待情報再配信手段と、
を含むことを特徴とする優待情報管理システム。
【請求項２】
前記関連ユーザ評価手段は、前記優待の情報が配信されたユーザの好みを示す情報と、前記複数の関連ユーザの好みを示す情報との類似の度合いに基づいて、前記複数の関連ユーザが前記優待に反応する度合いを評価する、
ことを特徴とする請求項１に記載の優待情報管理システム。
【請求項３】
前記関連ユーザ評価手段は、前記優待の情報が配信されたユーザの他の優待の情報の利用状況にさらに基づいて、前記複数の関連ユーザが前記優待に反応する度合いを評価する、
ことを特徴とする請求項２に記載の優待情報管理システム。
【請求項４】
前記関連ユーザ評価手段は、前記複数の関連ユーザの好みを示す情報と、前記複数の関連ユーザ間の関連の強さを示す情報に基づいて、前記複数の関連ユーザのうちいずれか複数のユーザからなる組を選択し、
前記優待情報再配信手段は、前記選択されたユーザの組に基づいて、前記評価された関連ユーザの一部に対して前記優待の情報を再配信する、
ことを特徴とする請求項１から３のいずれかに記載の優待情報管理システム。
【請求項５】
前記関連ユーザ評価手段は、複数の関連ユーザが所有する優待に関する情報と、前記複数の関連ユーザの好みを示す情報とに基づいて、前記複数の関連ユーザが前記優待に反応する度合いを評価する、
ことを特徴とする請求項１から３のいずれかに記載の優待情報管理システム。
【請求項６】
前記関連ユーザ評価手段は、前記優待の情報が配信されたユーザに応じた検索条件を満たす優待の情報を所有する１または複数の関連ユーザについて前記優待に反応する度合いを評価し、
前記優待情報再配信手段は、前記評価された関連ユーザのうちいずれかに前記優待の情報を再配信するとともに、前記再配信された関連ユーザが所有する前記検索条件を満たす優待の情報を前記ユーザが所有するよう制御する、
ことを特徴とする請求項５に記載の優待情報管理システム。
【請求項７】
前記配信または再配信された前記優待の情報の数と、前記優待の情報のうち利用されたものの数とに基づいて、前記ユーザが再配信する優待の情報の数の上限を制御する手段、
をさらに含むことを特徴とする請求項１から６のいずれかに記載の優待情報管理システム。
【請求項８】
前記優待を利用した前記ユーザまたは前記関連ユーザが当該優待について投稿した記事に基づいて前記ユーザに対する特典を決定する特典決定手段、
をさらに含むことを特徴とする請求項１から７のいずれかに記載の優待情報管理システム。
【請求項９】
ユーザに配信された優待の情報を格納する記憶手段から当該優待の情報を取得する優待情報取得手段、
前記ユーザに関連づけられた複数の関連ユーザの好みを示す情報に基づいて、前記複数の関連ユーザが前記優待に反応する度合いを評価する関連ユーザ評価手段、および、
前記評価された複数の関連ユーザが前記優待に反応する度合いに基づいて、前記評価された関連ユーザの一部に対して前記優待の情報を再配信する優待情報再配信手段、
としてコンピュータを機能させるためのプログラム。
【発明の詳細な説明】
【技術分野】
【０００１】
本発明は優待情報管理システム及びプログラムに関する。
【背景技術】
【０００２】
インターネットを利用して配信される電子クーポンを用いたサービスをユーザに提供することが一般的に行われている。特許文献１には、ソーシャルメディアにおいて、クーポンが発行されたユーザがさらに他のユーザに対してクーポンを再発行することが開示されている。
【先行技術文献】
【特許文献】
【０００３】
【特許文献１】特開２０１２−３８０９８号公報
【発明の概要】
【発明が解決しようとする課題】
【０００４】
本発明の目的は、優待情報を所有するユーザから他のユーザに優待情報を再配信する場合に、その再配信された優待情報が利用される可能性を本構成を有さない場合より高くすることである。
【課題を解決するための手段】
【０００５】
請求項１に記載の発明は優待情報管理システムであって、ユーザに配信された優待の情報を格納する記憶手段から当該優待の情報を取得する優待情報取得手段と、前記ユーザに関連づけられた複数の関連ユーザの好みを示す情報に基づいて、前記複数の関連ユーザが前記優待に反応する度合いを評価する関連ユーザ評価手段と、前記複数の関連ユーザが前記優待に反応する度合いに基づいて、前記評価された関連ユーザの一部に対して前記優待の情報を再配信する優待情報再配信手段と、を含むことを特徴とする。
【０００６】
請求項２に記載の発明は請求項１に記載の発明において、前記関連ユーザ評価手段は、前記優待の情報が配信されたユーザの好みを示す情報と、前記複数の関連ユーザの好みを示す情報との類似の度合いに基づいて、前記複数の関連ユーザが前記優待に反応する度合いを評価する、ことを特徴とする。
【０００７】
請求項３に記載の発明は請求項２に記載の発明において、前記関連ユーザ評価手段は、前記優待の情報が配信されたユーザの他の優待の情報の利用状況にさらに基づいて、前記複数の関連ユーザが前記優待に反応する度合いを評価する、ことを特徴とする。
【０００８】
請求項４に記載の発明は請求項１から３のいずれかに記載の発明において、前記関連ユーザ評価手段は、前記複数の関連ユーザの好みを示す情報と、前記複数の関連ユーザ間の関連の強さを示す情報に基づいて、前記複数の関連ユーザのうちいずれか複数のユーザからなる組を選択し、前記優待情報再配信手段は、前記選択されたユーザの組に基づいて、前記評価された関連ユーザの一部に対して前記優待の情報を再配信する、ことを特徴とする。
【０００９】
請求項５に記載の発明は請求項１から３のいずれかに記載の発明において、前記関連ユーザ評価手段は、複数の関連ユーザが所有する優待に関する情報と、前記複数の関連ユーザの好みを示す情報とに基づいて、前記複数の関連ユーザが前記優待に反応する度合いを評価する、ことを特徴とする。
【００１０】
請求項６に記載の発明は請求項５に記載の発明において、前記関連ユーザ評価手段は、前記優待の情報が配信されたユーザに応じた検索条件を満たす優待の情報を所有する１または複数の関連ユーザについて前記優待に反応する度合いを評価し、前記優待情報再配信手段は、前記評価された関連ユーザのうちいずれかに前記優待の情報を再配信するとともに、前記再配信された関連ユーザが所有する前記検索条件を満たす優待の情報を前記ユーザが所有するよう制御する、ことを特徴とする。
【００１１】
請求項７に記載の発明は請求項１から６のいずれかに記載の発明において、前記配信または再配信された前記優待の情報の数と、前記優待の情報のうち利用されたものの数とに基づいて、前記ユーザが再配信する優待の情報の数の上限を制御する手段をさらに含むことを特徴とする。
【００１２】
請求項８に記載の発明は請求項１から７のいずれかに記載の発明において、前記優待を利用した前記ユーザまたは前記関連ユーザが当該優待について投稿した記事に基づいて前記ユーザに対する特典を決定する特典決定手段をさらに含むことを特徴とする。
【００１３】
請求項９に記載の発明は、ユーザに配信された優待の情報を格納する記憶手段から当該優待の情報を取得する優待情報取得手段、前記ユーザに関連づけられた複数の関連ユーザの好みを示す情報に基づいて、前記複数の関連ユーザが前記優待に反応する度合いを評価する関連ユーザ評価手段、および、前記評価された複数の関連ユーザが前記優待に反応する度合いに基づいて、前記評価された関連ユーザの一部に対して前記優待の情報を再配信する優待情報再配信手段、としてコンピュータを機能させるためのプログラムである。
【発明の効果】
【００１４】
請求項１，９に記載の発明によれば、優待の情報を所有するユーザから他のユーザに優待の情報を再配信する場合に、その再配信された優待が利用される可能性を本構成を有さない場合より高くすることができる。
【００１５】
請求項２，３に記載の発明によれば、他のユーザの好みを示す情報のみに基づいて優待の情報を再配信する場合より、再配信がされた優待の情報が利用される可能性を高くすることができる。
【００１６】
請求項４に記載の発明によれば、ユーザの組が優待の情報を利用する可能性を本構成を有さない場合より高くすることができる。
【００１７】
請求項５に記載の発明によれば、他のユーザの優待の利用状況を考慮しない場合よりその再配信がされた優待が利用される可能性を高くすることができる。
【００１８】
請求項６に記載の発明によれば、優待の情報を再配信するユーザが配信先のユーザが有する優待の情報を取得することができる。
【００１９】
請求項７に記載の発明によれば、優待の情報が発行される総数を調整することができる。
【００２０】
請求項８に記載の発明によれば、優待を利用したユーザの活動に応じて特典を提供することができる。
【図面の簡単な説明】
【００２１】
【図１】本発明の実施形態にかかるクーポン管理システムの機器構成の一例を示す図である。
【図２】クーポン管理サーバ、ソーシャル情報管理サーバおよびクライアント装置のハードウェア構成の一例を示す図である。
【図３】本発明の実施形態にかかるクーポン管理システムが実現する機能の一例を示す機能ブロック図である。
【図４】クーポンの配信および利用の流れの一例を概略的に示す図である。
【図５】クーポン種別情報の一例を示す図である。
【図６】クーポン配信情報の一例を示す図である。
【図７】クーポンを再配信する際の処理フローの一例を示す図である。
【図８】クーポン一覧画面の一例を示す図である。
【図９】関連ユーザ評価部の処理フローの一例を示す図である。
【図１０】ユーザ情報の一例を示す図である。
【図１１】投稿情報の一例を示す図である。
【図１２】カテゴリキーワード情報の一例を示す図である。
【図１３】キーワード判定情報の一例を示す図である。
【図１４】クーポン利用履歴の一例を示す図である。
【図１５】配信候補リストの一例を示す図である。
【図１６】配信候補提示画面の一例を示す図である。
【発明を実施するための形態】
【００２２】
以下、本発明の実施形態について図面に基づき詳細に説明する。以下では電子クーポンの配信を管理するシステムについて説明する。以下では、「クーポン」の記載は電子クーポンを指すものとする。電子クーポンは、その電子クーポンにおいて指定された店舗でサービスや商品の購入をする場合に、その電子クーポンを提示したユーザに割引やプレゼントといった特典を提供するためのものであり、ユーザにサービスや商品の購入を促すものである。
【００２３】
図１は、本発明の実施形態にかかるクーポン管理システムの機器構成の一例を示す図である。同図に示すように、クーポン管理システムは、クーポン管理サーバ１、ソーシャル情報管理サーバ２、クライアント装置３を含む。これらはネットワーク４を介して接続されている。ネットワーク４は、例えばローカルエリアネットワークやインターネットである。
【００２４】
クーポン管理サーバ１は、サーバコンピュータである。クーポン管理サーバ１は、クライアント装置３からの要求に応じてデータベース等から情報を取得し、取得した情報をクライアント装置３に向けて送信する。クライアント装置３は、例えばスマートフォンやパーソナルコンピュータのようなコンピュータである。ここでは、クーポン管理サーバ１はウェブサーバプログラム（ｈｔｔｐｄなど）を実行し、ブラウザプログラムを実行するクライアント装置３によってユーザが入力した要求がクーポン管理サーバ１に送信され、クーポン管理サーバ１からクライアント装置３へ送信された情報に応じた画面がユーザに提示される。
【００２５】
図２はクーポン管理サーバ１、ソーシャル情報管理サーバ２およびクライアント装置３のハードウェア構成の一例を示す図である。クーポン管理サーバ１、ソーシャル情報管理サーバ２およびクライアント装置３は、それぞれプロセッサ１１、記憶部１２、通信部１３、入出力部１４を含む。
【００２６】
プロセッサ１１は、記憶部１２に格納されているプログラムに従って動作する。またプロセッサ１１は通信部１３、入出力部１４を制御する。なお、上記プログラムは、インターネット等を介して提供されるものであってもよいし、フラッシュメモリやＤＶＤ−ＲＯＭ等のコンピュータで読み取り可能な記憶媒体に格納されて提供されるものであってもよい。
【００２７】
記憶部１２は、ＲＡＭやフラッシュメモリ等のメモリ素子やハードディスクドライブによって構成されている。記憶部１２は、上記プログラムを格納する。また、記憶部１２は、各部から入力される情報や演算結果を格納する。
【００２８】
通信部１３は、他の装置と通信する機能を実現するものであり、例えば有線ＬＡＮの通信用集積回路やコネクタ、無線ＬＡＮの集積回路やアンテナなどにより構成されている。通信部１３は、プロセッサ１１の制御に基づいて、他の装置から受信した情報をプロセッサ１１や記憶部１２に入力し、他の装置に情報を送信する。
【００２９】
入出力部１４は、表示出力手段をコントロールするビデオコントローラや、入力デバイスからのデータを取得するコントローラなどにより構成される。入力デバイスとしては、キーボード、マウス、タッチパネルなどがある。入出力部１４は、プロセッサ１１の制御に基づいて、表示出力デバイスに表示データを出力し、入力デバイスをユーザが操作することにより入力されるデータを取得する。表示出力デバイスは例えば外部に接続されるディスプレイ装置である。また、ソーシャル情報管理サーバ２やクライアント装置３もプロセッサ１１、記憶部１２、通信部１３、入出力部１４を含む。クライアント装置３がスマートフォンなどの表示デバイスを内蔵する端末である場合には、クライアント装置３に含まれる入出力部１４は内蔵される表示デバイスに画像を出力させる。
【００３０】
図３は、本発明の実施形態にかかるクーポン管理システムが実現する機能を示す機能ブロック図である。クーポン管理システムは、クーポン配信部５１と、クーポン情報取得部５２と、関連ユーザ評価部５３と、配信候補提示部５４と、クーポン再配信部５５と、配信数制御部５６と、クーポン利用確認部５７と、特典決定部５８と、クーポン種別情報格納部７１と、クーポン配信情報格納部７２と、ユーザ情報格納部７３と、投稿情報格納部７４と、キーワード関連情報格納部７５と、クーポン利用情報格納部７６と、を含む。
【００３１】
クーポン配信部５１と、クーポン情報取得部５２と、関連ユーザ評価部５３と、配信候補提示部５４と、クーポン再配信部５５と、配信数制御部５６と、クーポン利用確認部５７と、特典決定部５８との機能は、クーポン管理サーバ１に含まれるプロセッサ１１が記憶部１２に格納されたプログラムを実行し、通信部１３および入出力部１４を制御することによって実現される。また、クーポン種別情報格納部７１と、クーポン配信情報格納部７２と、キーワード関連情報格納部７５と、クーポン利用情報格納部７６とは、クーポン管理サーバ１に含まれる記憶部１２を中心として実現され、それらの機能により記憶部１２に格納される情報を、クーポン管理サーバ１が実現する他の機能からの要求に応じて取得し、その機能に渡す。なお、クーポン種別情報格納部７１と、クーポン配信情報格納部７２と、キーワード関連情報格納部７５と、クーポン利用情報格納部７６とはクーポン管理サーバ１以外のたとえばデータベースアプリケーションプログラムを実行するサーバコンピュータにより実現されてもよい。また、ユーザ情報格納部７３と投稿情報格納部７４とは主にソーシャル情報管理サーバ２に含まれるプロセッサ１１、記憶部１２および通信部１３により実現される。
【００３２】
ここで、クーポンの再配信について説明する。図４は、クーポンの配信および利用の流れの一例を概略的に示す図である。再配信が可能なクーポンは、はじめにクーポン発行元から複数のユーザ（図４ではユーザＡやユーザＢ）に配信される。クーポンが配信されたユーザの一部（たとえばユーザＢ）は、店舗でクーポンを提示して割引やプレゼントの取得といった特典の提供を受けたり（以下ではこのことを「クーポンを利用する」という）、クーポンをそのユーザが指定する他のユーザ（図４ではユーザＣやユーザＤ）に再配信する。もちろん、クーポンを再配信されたユーザは店舗でそのクーポンを利用してよい。なお、ユーザがクーポンを利用する際の手順は、例えば事前にそのクーポンをバーコードなどの形式で紙に印刷し、そのクーポン券を店舗の支払時などにバーコードリーダに読み取らせる。またクライアント装置３が携帯電話やスマートフォンであれば、ユーザは印刷の代わりにクライアント装置３の画面にバーコードを表示させてもよい。またユーザは、バーコードの代わりに非接触近接通信を用いて店舗の端末とクーポンの情報をやりとりしてもよい。
【００３３】
クーポン種別情報格納部７１はクーポンの種類に関する情報（クーポン種別情報）を格納する。またクーポン配信情報格納部７２は、配信または再配信がされたクーポンの情報であってユーザと関連づけられた情報（クーポン配信情報）を格納する。また、ユーザ情報格納部７３は、クーポン管理システムを利用するユーザの情報（ユーザＩＤを含む）を格納する。クーポン利用情報格納部７６は、ユーザが店舗でクーポンを利用した履歴であるクーポン利用履歴を格納する。
【００３４】
クーポン配信部５１はプロセッサ１１、記憶部１２を中心として実現される。クーポン配信部５１はクーポン発行元に対応し、ユーザに新たなクーポンを配信する。クーポンを配信する処理について以下でより具体的に説明する。はじめに、クーポン配信部５１はクーポンの送付先となるユーザ（ユーザＩＤ）のリストを取得し、クーポン配信情報格納部７２に、そのユーザのそれぞれとクーポンとを関連づけて記憶させる。送付先のリストは予め作成されて記憶部１２に記憶されていてもよいし、クーポン配信部５１が事前に複数のユーザから希望するクーポンの種類（飲食店のカテゴリや地域など）の条件を取得し、クーポン配信部５１が配信するクーポンの種類と、ユーザが指定した条件とに基づいて送付先のリストを生成してもよい。次にクーポン配信部５１は、配信先のリストに含まれるユーザにクーポンを送付する。クーポン配信部５１がクーポンを送付する際には、クーポンとユーザとに関連づけられた新たなクーポン配信情報をクーポン配信情報格納部７２に格納する。なお、クーポン配信部５１はクーポンが配信されたことを示す電子メールやメッセージを配信されたユーザのメールアドレスやクライアント装置３に向けて送信してもよい。
【００３５】
図５は、クーポンの種類を示すクーポン種別情報の一例を示す図である。クーポン種別情報は、クーポン種別情報格納部７１に格納されている。クーポン種別情報は、クーポンの種類を一意に識別するクーポンＩＤ、クーポン名、クーポンの属するカテゴリ、クーポンに関連するキーワード、既に発行されたクーポンの数（発行数）、クーポンの発行上限、最大再配信数、クーポンの発行対象、利用期限を含む。クーポンＩＤはクーポンの種類を一意に識別する情報であり、最大再配信数はあるユーザがクーポンを再配信するクーポンの数の上限である。クーポンの発行対象は、クーポン発行者の方針により設定される情報であり、クーポンを配信するまたは再配信する対象が、既にクーポンを利用したユーザ（既存顧客）とまだクーポンを利用したことのないユーザ（新規顧客）とのうちどちらかであることを示す情報である。クーポンの発行上限は、全体におけるクーポンの数の上限である。
【００３６】
図６は、クーポン配信情報の一例を示す図である。クーポン配信情報は、クーポンを所有するユーザのユーザＩＤ、クーポンＩＤ、再配信数、利用済フラグ、配信元ユーザＩＤを含む。再配信数は他のユーザに再配信したクーポンの数である。利用済フラグは、クーポンがユーザにより利用されたか否かを示す情報であり、ユーザがクーポンを利用したことが確認されると利用済となる。配信元ユーザＩＤは再配信されたクーポンについて、そのクーポンを再配信したユーザのユーザＩＤである。クーポン配信情報のレコードは、配信されたクーポンごとに設けられている。再配信数および配信元ユーザＩＤの詳細については後述する。
【００３７】
図７は、クーポンを再配信する際の処理フローの一例を示す図である。以下では処理フローに基づいてクーポン情報取得部５２、関連ユーザ評価部５３、配信候補提示部５４、クーポン再配信部５５などの処理について説明する。
【００３８】
クーポン情報取得部５２は、プロセッサ１１、記憶部１２およぶ通信部１３を中心として実現される。クーポン情報取得部５２は、ユーザに配信されたクーポンの情報を格納する記憶部１２からそのクーポンの情報を取得する。クーポン情報取得部５２は、クーポン情報取得部５２は、ユーザ（以下では「再配信者」とも記載する）に対して配信されたクーポンの一覧を提示し、ユーザにその一覧から再配信するクーポンを選択させる（ステップＳ１０１）。クーポンの一覧を提示する際には、クーポン情報取得部５２はユーザに配信または再配信された１または複数のクーポンについてのクーポン配信情報とクーポン種別情報とをそれぞれクーポン配信情報格納部７２およびクーポン種別情報格納部７１から取得し、そのクーポン配信情報とクーポン種別情報とを用いてクーポン配信情報が示す複数のクーポンの一覧をクライアント装置３に表示させる。またユーザが一覧からいずれかのクーポンを選択すると、クーポン情報取得部５２はその選択されたクーポンを特定する情報をクライアント装置３から取得する。
【００３９】
図８は、再配信の対象とするクーポンを選択するためのクーポン一覧画面の一例を示す図である。クーポン一覧画面には、クーポンの名称の一覧が配置されており、そのそれぞれについて、詳細を表示する「詳細」ボタンと、他の人に向けて再配信を指示する３種類のボタン（「友人にもあげる」、「友人に譲る」、「友人のクーポンと交換する」）が表示されている。「友人にもあげる」ボタンは、自分がそのクーポンを利用可能な状態でかつそのクーポンを他のユーザに再配信すること（以下では「単なる再配信処理」とも記載する）を指示するボタンであり、「友人に譲る」ボタンは他のユーザにそのクーポンを再配信し、かつ自分がそのクーポンを利用できない状態にすること（以下では「譲渡処理」とも記載する）を指示するボタンであり、「友人のクーポンと交換する」ボタンは、他のユーザが所有するクーポンと自分が所有するクーポンとを交換すること（以下では「交換処理」とも記載する）を指示するボタンである。ユーザがこの３種類のボタンのいずれかを押下すると、クライアント装置３はクーポンを特定する情報とどのボタンが押されたかの情報をクーポン情報取得部５２に向けて送信する。クーポン情報取得部５２はその情報を受信し、その情報と再配信者のユーザＩＤとに基づいて再配信の対象となるクーポンのクーポン種別情報やクーポン配信情報を取得する。なおクーポン情報取得部５２は、クーポン種別情報において発行数が発行上限に達しているクーポンについては「友人にもあげる」ボタンを表示させないよう制御し、単なる再配信の対象のリストから除外する扱いをする。
【００４０】
関連ユーザ評価部５３は、プロセッサ１１、記憶部１２および通信部１３を中心として実現される。関連ユーザ評価部５３は、再配信者に関連づけられた複数の関連ユーザの好みを示す情報に基づいて、その複数の関連ユーザが前記クーポンに期待される反応をする度合いを評価する。また関連ユーザ評価部５３はその期待される反応をする度合いの評価に基づいて配信候補となるユーザのリストを生成する（ステップＳ１０２）。ここで、期待される反応とは、具体的には再配信されたユーザがクーポンを利用することや、別のユーザにクーポンを再配信することなど、最終的にクーポンの利用を活性化する行動をすることである。また、関連ユーザ評価部５３は、ステップＳ１０２において、前記クーポンが配信されたユーザの好みを示す情報と、前記複数の関連ユーザの好みを示す情報との類似の度合いや、前記クーポンが配信されたユーザの他のクーポンの利用状況、複数の関連ユーザが所有するクーポンに関する情報にさらに基づいてその度合いを評価する。
【００４１】
図９は、関連ユーザ評価部５３の処理フローの一例を示す図である。以下では主に単なる再配信処理における関連ユーザ評価部５３の動作についてさらに説明する。はじめに、関連ユーザ評価部５３は、再配信者に関連づけられた関連ユーザを抽出する（ステップＳ２０１）。ここで、関連ユーザは、例えば再配信者の友人として関連づけられているユーザである。あるユーザの友人となるユーザはユーザ情報格納部７３に格納されたユーザ情報により識別される。
【００４２】
図１０は、ユーザ情報の一例を示す図である。ユーザ情報は、ユーザごとに、ユーザＩＤ、ユーザの名前、友人ユーザＩＤ、プロフィールの情報、特典ランクを含む。実際には図１０より多くのユーザの情報がユーザ情報格納部７３に格納されている。友人ユーザＩＤの情報は、友人として関連づけられているユーザのＩＤが列挙されたものであり、１つのユーザについて複数のユーザＩＤが存在してよい。プロフィールの情報には、性別、年齢層、趣味といった情報を含む。例えば図１０において再配信者のユーザＩＤが“Ｕ１０１”の場合は、関連ユーザとしてユーザＩＤ“Ｕ２０１”を含むユーザＩＤのリストが取得される。
【００４３】
ここで、関連ユーザ評価部５３は、関連ユーザとして再配信者の友人の友人、つまり友人のユーザ情報に含まれる友人ユーザＩＤにより特定されるユーザも取得してよい。また関連ユーザの範囲をどこまでにするか事前にユーザが設定できるようにしてもよい。特典ランクはユーザに対するクーポンの優待の手厚さを示すランクであり、例えばランクが高いほど割引率が高くなる。
【００４４】
次に、関連ユーザ評価部５３は、再配信者の趣味趣向（好み）を示すキーワードを、再配信者のプロフィールや再配信者が投稿した記事の投稿情報から抽出する（ステップＳ２０２）。プロフィールはユーザ情報に含まれ、投稿情報は投稿情報格納部７４に格納されている。
【００４５】
図１１は、投稿情報の一例を示す図である。投稿情報は、例えばＳＮＳ（ソーシャルネットワーキングサービス）におけるユーザの日記やつぶやきといった情報である。日記やつぶやきは、ユーザがクライアント装置３を介して入力したテキスト情報を含む。関連ユーザ評価部５３は、再配信者のユーザ情報に含まれるプロフィールから趣味などのキーワードを取得し、また現在から前の一定期間に投稿された投稿情報に含まれるテキスト情報から、予め記憶された趣味趣向を示すキーワードのリストに含まれるキーワードを抽出する。テキスト情報からキーワードを抽出する際には、関連ユーザ評価部５３は出現回数が予め定められた閾値を超えるキーワードだけを抽出してもよい。なお、関連ユーザ評価部５３は、ソーシャル情報管理サーバ２に格納される投稿情報だけでなく、予めユーザに関連付けられた外部のブログに投稿されたテキストからキーワードを抽出してもよい。
【００４６】
次に関連ユーザ評価部５３は、クーポンに関連づけられたキーワードを取得する（ステップＳ２０３）。より具体的には、関連ユーザ評価部５３は再配信者により選択されたクーポンのクーポン種別情報に含まれるキーワードを取得する。
【００４７】
そして、関連ユーザ評価部５３は、取得されたユーザのうちまだ処理をされていない新たなユーザを処理対象とする（ステップＳ２０４）。たとえば、関連ユーザ評価部５３は、ステップＳ２０１で取得された複数のユーザのリストのうち最も若い順位のユーザを処理対象とし、その処理対象のユーザのユーザ情報を取得する。
【００４８】
次に関連ユーザ評価部５３は、処理対象となるユーザのプロフィールや、そのユーザが投稿した記事の投稿情報から、関連ユーザの趣味趣向を示しクーポンに関連するキーワード（関連キーワード）を抽出する（ステップＳ２０５）。関連ユーザのプロフィールはユーザ情報に含まれている。より具体的には、関連ユーザ評価部５３はクーポン種別情報からクーポンに関連づけられたキーワードを関連キーワードのリストに追加するとともに、クーポンの属性の一種であるカテゴリをキーにしてカテゴリキーワード情報を検索し、検索されたキーワードも関連キーワードのリストに追加する。
【００４９】
図１２は、カテゴリキーワード情報の一例を示す図である。カテゴリキーワード情報はキーワード関連情報格納部７５に格納される。例えばクーポンＩＤがＣ０００１のクーポンの場合、カテゴリに「飲食」があるので、関連ユーザ評価部５３は、関連キーワードとして「食べ歩き」を取得する。
【００５０】
そして、関連ユーザ評価部５３は関連ユーザのプロフィール情報や投稿情報から関連キーワードのいずれかを検索する。関連ユーザ評価部５３は、その検索により取得されたキーワードを抽出されたキーワードとして、その抽出されたキーワードを、キーワードが発見されたプロフィール情報の項目や投稿情報のＩＤと関連づけてリストに追加する。
【００５１】
キーワードが抽出されると、関連ユーザ評価部５３は、抽出されたキーワードのそれぞれについて、そのテキストのうち抽出されたキーワードがある位置のそばにポジティブワードまたはネガティブワードがあるか否かを確認する。位置のそばとは、そのキーワードを含む一定の範囲にある文字列である。その範囲はキーワードの前後の一定数の文字であってもよいし、一定数の単語であってもよい。そして、関連ユーザ評価部５３は、そのポジティブワードまたはネガティブワードの存在に応じて、処理対象のユーザに対してスコアを付与する（ステップＳ２０６）。
【００５２】
より具体的には関連ユーザ評価部５３は、以下の処理を抽出されたキーワードのそれぞれについて行う。まず、関連ユーザ評価部５３は抽出されたキーワードやクーポンのカテゴリに基づいて、キーワード判定情報からポジティブワードとネガティブワードとを取得する。
【００５３】
図１３はキーワード判定情報の一例を示す図である。キーワード判定情報はキーワード関連情報格納部７５に格納されている。例えば、クーポンのカテゴリが「飲食」であれば、抽出されたキーワードが何であっても関連ユーザ評価部５３は「ダイエット」や「太る」をネガティブワードとして取得する。また関連ユーザ評価部５３は、抽出されたキーワードが「パスタ」であれば、「おいしい」、「行きたい」などをポジティブワードとして、「嫌い」、「行きたくない」などをネガティブワードとして取得する。そして、関連ユーザ評価部５３は投稿情報のテキストのうち、抽出されたキーワードのそばの一定範囲内にあるポジティブワードやネガティブワードの数をカウントする。そして、関連ユーザ評価部５３は、ポジティブワードの方が多ければ３０点、ネガティブワードの方が多ければマイナス１０点、どちらもなければ１０点というように、ポジティブワードがあれば高い値をスコアに加算し、ネガティブワードがあればスコアから値を減算する。ここで、最終的なスコアが高いほど期待される反応をする可能性が高いとする。
【００５４】
また、関連ユーザ評価部５３は、再配信者と処理対象のユーザとの間の趣味趣向の類似の度合いと再配信者のクーポン利用履歴とに応じてスコアを加算する（ステップＳ２０７）。より具体的には、関連ユーザ評価部５３は、再配信者の趣味趣向を示す情報（趣味趣向キーワード）として、プロフィールの情報のうち趣味欄に含まれるキーワードと、予め趣味趣向を示す言葉として設定された複数の趣味趣向キーワードのうち再配信者の投稿情報に含まれるものを取得する。そして、関連ユーザ評価部５３は処理対象となるユーザについても同様の方法で趣味趣向キーワードを取得し、再配信者の趣味趣向キーワードと処理対象となるユーザの趣味趣向キーワードとの間で一致するものの数をカウントする。また、関連ユーザ評価部５３は、再配信者が再配信の対象となるクーポンと同じカテゴリのクーポンについて利用したか否かを確認する。再配信者が同じカテゴリのクーポンを利用した場合には、一致するものの数が大きいほど大きいスコアを加算し、利用していない場合には、一致するものの数が少ないほど大きいスコアを加算する。
【００５５】
再配信者が同じカテゴリのクーポンを利用している場合には、このクーポンについても再配信者が利用する可能性が利用していない場合より高く、また再配信者に趣味趣向が近いユーザほどクーポンを利用する可能性が高くなると考えられる。一方、再配信者が同じカテゴリのクーポンを利用していない場合には、ほかのユーザについても趣味趣向が近いほど利用する可能性が低くなると考えられる。ステップＳ２０７の処理によりこのような事象を反映したスコアが計算される。
【００５６】
処理対象のユーザについてスコアが計算されると、関連ユーザ評価部５３は、そのユーザの類似クーポンの配信率や利用率、当該クーポンの利用有無に応じて、そのユーザを配信候補のリストに追加する（ステップＳ２０７）。より具体的には、クーポン種別情報の発行対象が「新規顧客」の場合には、関連ユーザ評価部５３は、処理対象ユーザがこのクーポンを受信した回数が閾値より少なく、処理対象ユーザが同じカテゴリのクーポンを再配信した履歴があり、処理対象ユーザが再配信対象のクーポンを利用しておらず、かつ処理対象ユーザが利用した同じカテゴリのクーポンの数の受信したクーポンの数に対する割合が閾値を超える条件を満たすか確認する。そしてそれらの条件を満たす場合に、関連ユーザ評価部５３はその処理対象のユーザを配信候補のリストに追加する。
【００５７】
図１４はクーポン利用履歴の一例を示す図である。クーポン利用情報はクーポンを利用したユーザのユーザＩＤと、利用されたクーポンのクーポンＩＤと、利用日と、利用店舗を示す利用店舗ＩＤとを含む。関連ユーザ評価部５３は、処理対象ユーザのユーザＩＤを有するクーポン利用履歴と、クーポン種別情報に含まれるカテゴリとに基づいて、処理対象ユーザが再配信対象のクーポンを利用したか否かと再配信対象のクーポンと同じカテゴリのクーポンを再配信したか否かとを判定する。
【００５８】
また、クーポン種別情報の発行対象が「既存顧客」の場合には、関連ユーザ評価部５３は、処理対象ユーザがこのクーポンを受信した回数が閾値より多く、処理対象ユーザが同じカテゴリのクーポンを再配信した履歴があり、処理対象ユーザが再配信対象のクーポンを利用しており、処理対象ユーザが利用した同じカテゴリのクーポンの数の受信したクーポンの数に対する割合が閾値を超える条件を満たすか確認する。そして、これらの条件を満たす場合には、関連ユーザ評価部５３はその処理対象のユーザを配信候補のリストに追加する。
【００５９】
図１５は、配信候補リストの一例を示す図である。配信候補リストには、ユーザを特定するユーザＩＤ、名前やそのユーザのスコアだけでなく、スコアを算定した理由の情報も含んでいる。なお関連ユーザ評価部５３はクーポン種別情報に含まれる最大発行数に基づいてこの配信候補のリストに属するユーザの数の上限を定め、リストに含まれるユーザの数がその上限を超えないようにしてもよい。
【００６０】
配信されたユーザの趣味趣向とクーポンの傾向がたとえ一致しても、クーポンを利用したり再配信したりしないユーザであればクーポンの効果が限定される。本実施形態では関連ユーザ評価部５３はこのようなユーザが除外された配信候補リストを作成する。
【００６１】
そして、ステップＳ２０８が終わると、関連ユーザ評価部５３は、すべてのユーザについて処理をしたか確認し、すべてのユーザについて処理をしていない場合には、ステップＳ２０４から繰り返す。すべてのユーザについて処理した場合は、関連ユーザ評価部５３は配信候補リストに含まれるユーザをスコアの点数が高いものほど上位にするようにソートする（ステップＳ２１０）。これにより、評価の高いものほど上位になるようソートされた配信候補ができあがる。
【００６２】
また、ステップＳ２０７において、処理対象のユーザが一定期間に行った投稿の数を投稿情報からカウントし、その件数が多いほど大きいスコアを加算するようにしてもよい。こうすることで、こうしない場合よりクーポンの対象となる商品やサービスについて日記などによるフィードバックがされる確率が高くなり、商品やサービスの露出が増えやすくなる。
【００６３】
なお、関連ユーザ評価部５３は、複数の関連ユーザの好みを示す情報だけでなく、さらに複数の関連ユーザ間の関連の強さを示す情報に基づいて、複数の関連ユーザからなる組を選択してもよい。関連ユーザ間の関連の強さを示す情報は、例えばクーポン配信情報が、処理対象のユーザが他の関連ユーザにクーポンを再配信したことまたは他の関連ユーザからクーポンを再配信されたことを示す情報である。例えばクーポンを再配信した場合にはそうで無い場合より関連が強いと判定される。また、関連ユーザ評価部５３は、複数の関連ユーザの間でクーポンの利用店舗が同じで利用日時の違いが３０分以内など予め定められた範囲内の場合には一緒に店を利用したとみなし、さらに関連が強いと判定してもよい。なお、関連ユーザ間の関連の強さを示す情報はユーザ情報の友人ユーザＩＤといった関連ユーザどうしが友人として直接関連づけられているかの情報であってもよいし、関連ユーザ間で１対１のメッセージをやりとりする頻度や、互いの日記にコメントする頻度などであってもよい。
【００６４】
より具体的には、例えばステップＳ２１０の処理のあとに、関連ユーザ評価部５３はリストの最上位の関連ユーザの友人を取得し、さらにその関連ユーザに対して上述の方法などにより判定された関連の強さがある程度より大きいユーザを選択する。また、３番目など所定の順位までのユーザについてそのユーザを含むユーザの組を取得するようにしてもよい。例えば複数のユーザの組のメンバは、一緒に利用するクーポンを配信されることにより、単なるクーポンが再配信されるよりも高い購買意欲を持つことが期待される。また複数人が一緒に使うクーポンにおいて割引率などの特典が高めに設定されていてもよい。
【００６５】
また、交換処理の場合には、関連ユーザ評価部５３は、再配信者に応じた検索条件を満たすクーポンを所有する１または複数の関連ユーザについて、前記クーポンに反応する度合いを評価する。より具体的には、関連ユーザ評価部５３は再配信者から、そのユーザが欲しいクーポンのカテゴリやキーワードといったクーポンの検索条件を取得する。そして、関連ユーザ評価部５３は、ステップＳ２０８の条件だけでなく、そのカテゴリやキーワードを含むクーポンを有するという条件を満たす関連ユーザを配信候補のリストに追加する。なお、ステップＳ２０８の代わりに、予めステップＳ２０１でその検索条件を満たすクーポンを所有する関連ユーザを取得しておいてもよい。
【００６６】
配信候補提示部５４は、プロセッサ１１、記憶部１２および通信部１３を中心として実現される。配信候補提示部５４は、関連ユーザ評価部５３で計算された複数の関連ユーザがクーポンに反応する度合いに基づいて、前記関連ユーザの少なくとも一部をユーザに提示する。より具体的には、配信候補提示部５４は、関連ユーザが反応する度合いに基づいて選択された配信候補のリストを含む配信候補提示画面の情報をクライアント装置３に送信することで再配信者にその配信候補のリストを提示する（ステップＳ１０３）。
【００６７】
図１６は、配信候補提示画面の一例を示す図である。図１６の例は図１５と対応し、配信候補のリストに属するユーザのリストが配置されている。また、各ユーザについて「配信する」ボタンが配置されており、ユーザがこのいずれかのボタンを押下すると、クライアント装置３はそのボタンが示すユーザの情報をクーポン再配信部５５に向けて送信する。また、配信候補提示部５４は選択されたユーザの組も提示する。
【００６８】
クーポン再配信部５５は、プロセッサ１１、記憶部１２および通信部１３を中心として実現される。クーポン再配信部５５は、関連ユーザ評価部５３で計算された複数の関連ユーザがクーポンに反応する度合いに基づいて、評価された関連ユーザの一部に対してクーポンを再配信する。より具体的には、提示された配信候補のリストに対して再配信者が選択した関連ユーザやユーザの組にクーポンを再配信する（ステップＳ１０４）。クーポンを再配信する際には、クーポン再配信部５５はクーポン配信情報格納部７２に新たなクーポン配信情報のレコードを格納するか、既存のクーポン配信情報を更新する。またクーポン再配信部５５は予めユーザにより設定された場合にはクーポンを再配信した旨のメールやメッセージを再配信されたユーザに向けて送信する。
【００６９】
ここで、クーポン再配信部５５は、単なる再配信処理の場合には配信先のユーザＩＤとクーポンＩＤと再配信者の配信元ユーザＩＤとを含むクーポン配信情報を追加してクーポン配信情報格納部７２に格納させ、再配信者のクーポン配信情報の再配信数を１つ増加させるとともにクーポン種別情報の発行数も増やす。また譲渡処理の場合には、再配信の対象となるクーポンのクーポン配信情報のうち、再配信者のユーザＩＤを再配信先のユーザＩＤに更新する。交換処理の場合には、クーポン再配信部５５はクーポンが再配信されたユーザが所有し交換の対象となるクーポンが再配信者が所有するように制御する。より具体的には、再配信先のユーザにクーポンの交換を承認するかのメッセージを表示し、交換が承認された場合には、クーポン再配信部５５は譲渡処理と同じ処理をしたうえで、さらに再配信先のユーザＩＤかつ交換対象となるクーポンのクーポンＩＤを有するクーポン配信情報についてユーザＩＤを再配信者のものに更新する。以上の処理によってクーポンの再配信が行われる。
【００７０】
このようにして配信候補提示部５４が配信候補のリストを提示し、その配信候補のリストに基づいてクーポンが再配信されることで、配信候補のリストを関連ユーザ評価部５３のように作成しない場合と比べて再配信されたユーザがクーポンを利用したり再配信する確率が高くなる。これによりクーポンの利用が活性化される。
【００７１】
配信数制御部５６は、プロセッサ１１、記憶部１２を中心として実現される。配信数制御部５６は、配信または再配信された前記クーポンの数と、クーポンのうち利用されたものの数とに基づいて、再配信者が再配信するクーポンの数の上限を制御する。配信数制御部５６は、例えば一定期間ごとに、クーポン利用履歴からクーポンの種類ごとに利用されたクーポンの総数（利用総数）とを集計する。そして配信数制御部５６は、例えばクーポン種別情報に含まれ配信されたクーポンの総数を示す発行数に対する利用総数の割合から、そのクーポン種別における発行上限を変更する。また配信数制御部５６は、発行数が発行上限に近づくにつれクーポン種別情報のユーザあたりの最大発行数を減少させてもよい。
【００７２】
クーポン利用確認部５７は、プロセッサ１１、記憶部１２、通信部１３を中心として実現される。クーポン利用確認部５７は、クーポンを配信または再配信されたユーザが店舗でそのクーポンを利用する場合に、その店舗にあるコンピュータから送信されるクーポンを特定する情報をネットワークを介して取得する。クーポンを特定する情報は本実施形態ではクーポンＩＤとユーザＩＤとである。そしてクーポン利用確認部５７は、そのクーポンＩＤのクーポン種別情報を取得し、利用日が利用期限より前かを確認し、さらにクーポンＩＤとユーザＩＤとからクーポン配信情報を取得し、そのクーポンが存在するか、また利用済でないかを確認する。クーポンが存在し、クーポンの利用期限であり利用済でなければ、クーポン利用確認部５７は店舗のコンピュータにクーポンの利用を認める旨の情報とユーザの特典ランクを示すデータを送信し、店舗側のコンピュータはクーポンの種類と特典ランクに応じた優待をする処理を行う。また、クーポン利用確認部５７はこのクーポンを利用したことを示すクーポン利用履歴（ユーザＩＤ、クーポンＩＤ、利用日、利用店舗ＩＤを含む）を追加するとともに、クーポン配信情報の利用済フラグを利用済に変更する。
【００７３】
特典決定部５８は、プロセッサ１１および記憶部１２を中心として実現される。特典決定部５８は、ユーザのクーポンの再配信および利用の状況、または、クーポンを利用したユーザが当該クーポンについて投稿した記事に基づいてユーザに対する特典を決定する。より具体的には、特典決定部５８は現在から前の判定期間においてユーザが投稿した投稿情報のうちクーポンに関連づけて投稿された記事の件数と、その判定期間においてユーザがクーポンを利用した数および再配信した数に基づいて、そのユーザの特典ランクを決定し、ユーザ情報の特典ランクに反映する。ここで、図１１の例では関連クーポンＩＤがある投稿情報がクーポンに関連づけて投稿された記事であり、クーポンを利用した数は判定期間におけるそのユーザのクーポン利用履歴の件数から求められる。ここで、クーポンの割引率や割引額は特典ランクが高いほど大きくなる。なお、特典決定部５８は、ユーザのランクではなく、ユーザに付与するポイントの額を決定してもよい。ポイントは何らかの支払の補助として利用できるものである。特典決定部５８により、店舗についての投稿をした者や、店舗を利用する者など、クーポンを提供する側にとって利益のあるユーザに対して特典が還元される。
【符号の説明】
【００７４】
１  クーポン管理サーバ、２  ソーシャル情報管理サーバ、３  クライアント装置、４  ネットワーク、１１  プロセッサ、１２  記憶部、１３  通信部、１４  入出力部、５１  クーポン配信部、５２  クーポン情報取得部、５３  関連ユーザ評価部、５４  配信候補提示部、５５  クーポン再配信部、５６  配信数制御部、５７  クーポン利用確認部、５８  特典決定部、７１  クーポン種別情報格納部、７２  クーポン配信情報格納部、７３  ユーザ情報格納部、７４  投稿情報格納部、７５  キーワード関連情報格納部、７６  クーポン利用情報格納部。
【図１】
2015099478.tif 000003
【図２】
2015099478.tif 000004
【図３】
2015099478.tif 000005
【図４】
2015099478.tif 000006
【図５】
2015099478.tif 000007
【図６】
2015099478.tif 000008
【図７】
2015099478.tif 000009
【図８】
2015099478.tif 000010
【図９】
2015099478.tif 000011
【図１０】
2015099478.tif 000012
【図１１】
2015099478.tif 000013
【図１２】
2015099478.tif 000014
【図１３】
2015099478.tif 000015
【図１４】
2015099478.tif 000016
【図１５】
2015099478.tif 000017
【図１６】
2015099478.tif 000018